(57)【特許請求の範囲】
【請求項１】
アナログ変調信号及びデジタル変調信号を受信可能な受信部と、
前記デジタル変調信号を復調するデジタル用復調回路と、
前記デジタル用復調回路との通信を第１の専用制御ラインによって行う第１の制御回路と、
前記第１の制御回路との通信を第２の専用制御ラインによって行う第２の制御回路とを具備し、
前記第２の制御回路は、前記デジタル変調信号の受信から前記アナログ変調信号の受信への切り換え前に、前記デジタル用復調回路と前記第１の制御回路との間の通信を終了させ、前記通信の終了を前記第２の専用制御ラインによって確認した後に、前記デジタル用復調回路の電源をオフとすることを特徴とする信号受信機。
【請求項２】
前記受信部と前記デジタル用復調回路との間を接続する第３の専用制御ラインと、
前記第３の専用制御ラインに設けられ、前記第３の専用制御ラインを前記第２の制御回路に接続するためのスイッチ回路とを具備し、
前記第２の制御回路は、前記スイッチ回路を制御することにより、前記デジタル変調信号の受信時には、前記第２の制御ライン、前記第１の制御ライン及び前記第３の専用制御ラインを介して前記受信部を制御し、前記アナログ変調信号の受信時には、前記第３の専用制御ラインを介して直接前記受信部を制御することを特徴とする請求項１に記載の信号受信機。
【請求項３】
前記第２の制御回路は、前記アナログ変調信号の受信から前記デジタル変調信号の受信の切り換え前に、前記デジタル用復調回路の電源を投入し、前記デジタル用復調回路と前記第１の制御回路との間の通信の準備を完了させ、前記準備を完了したことを前記第２の専用制御ラインによって確認した後に、前記デジタル用復調回路と前記第１の制御回路との間の通信を開始させることを特徴とする請求項１に記載の信号受信機。
【請求項４】
前記第１の制御回路は、ＭＰＥＧデコーダを内蔵していることを特徴とする請求項１乃至請求項３のいずれかに記載の信号受信機。
【請求項５】
アナログ変調信号及びデジタル変調信号を受信可能な受信部と、前記デジタル変調信号を復調するデジタル用復調回路と、前記デジタル用復調回路との通信を第１の専用制御ラインによって行う第１の制御回路と、前記第１の制御回路との通信を第２の専用制御ラインによって行う第２の制御回路とを有する信号受信機の制御方法であって、
前記デジタル変調信号の受信から前記アナログ変調信号の受信への切り換え前に、前記デジタル用復調回路と前記第１の制御回路との間の通信を終了させ、
前記通信の終了を前記第２の制御回路が、前記第２の専用制御ラインによって確認した後に、前記デジタル用復調回路の電源をオフとすることを特徴とする信号受信機の制御方法。
【請求項６】
前記第２の制御回路から前記第１の制御回路及び前記デジタル用復調回路にチェンジコマンドを送信することにより、前記デジタル用復調回路と前記第１の制御回路との間の通信を終了させ、
前記第２の制御回路が前記第２の専用制御ラインを介して前記第１の制御回路に対して、前記デジタル用復調回路と前記第１の制御回路との間の通信の終了を確認し、
前記確認の後に前記デジタル用復調回路の電源をオフとすることを特徴とする請求項５に記載の信号受信機の制御方法。
【請求項７】
前記アナログ変調信号の受信から前記デジタル変調信号の受信の切り換え前に、
前記デジタル用復調回路の電源を投入し、
前記デジタル用復調回路と前記第１の制御回路との間の通信の準備を完了させ、
前記準備を完了したことを前記第２の制御回路が、前記第２の専用制御ラインによって確認した後に、前記デジタル用復調回路と前記第１の制御回路との間の通信を開始することを特徴とする請求項５に記載の信号受信機の制御方法。
【請求項８】
アナログ変調又はデジタル変調された信号を受信可能な受信部と、前記デジタル変調信号を復調するデジタル用復調回路と、前記デジタル用復調回路との間で通信可能に第１の専用制御ラインによって接続されると共に、モジュール外の第２の制御回路との間で通信可能に第２の専用制御ラインによって接続された第１の制御回路とを有する信号受信モジュールであって、
前記アナログ変調された信号の受信から前記デジタル変調された信号の受信への切り換え前に、前記デジタル用復調回路と前記第１の制御回路との間の通信を終了させ、前記通信の終了を前記第２の専用制御ラインによって前記第２の制御回路へ通知した後に、前記デジタル用復調回路の電源をオフとすることを特徴とする信号受信モジュール。
【請求項９】
前記受信部と前記デジタル用復調回路との間を接続する第３の専用制御ラインと、
前記第３の専用制御ラインに設けられ、前記第３の専用制御ラインを前記第２の制御回路に接続するためのスイッチ回路とを具備し、
前記スイッチ回路の切り換えにより、前記デジタル変調信号の受信時には、前記第２の制御ライン、前記第１の制御ライン及び前記第３の専用制御ラインを介して前記第２の制御回路と前記受信部とが接続され、前記アナログ変調信号の受信時には、前記第３の専用制御ラインを介して前記第２の制御回路と前記受信部とが接続されることを特徴とする請求項８に記載の信号受信モジュール。
【請求項１０】
前記アナログ変調された信号の受信から前記デジタル変調された信号の受信への切り換え前に、
前記デジタル用復調回路の電源を投入し、
前記デジタル用復調回路と前記第１の制御回路との間の通信の準備を完了させ、
前記準備を完了したことを前記第２の専用制御ラインによって前記第２の制御回路へ通知した後に、前記デジタル用復調回路と前記第１の制御回路との間の通信を開始することを特徴とする請求項８に記載の信号受信モジュール。
【請求項１１】
前記第１の制御回路は、ＭＰＥＧデコーダを内蔵していることを特徴とする請求項８乃至請求項１０のいずれかに記載の信号受信モジュール。
【発明の詳細な説明】
【技術分野】
【０００１】
本発明は、信号受信機及びその制御方法並びに信号受信モジュールに関し、アナログ変調波及びデジタル変調波を切り換えて受信する信号受信機及びその制御方法並びに信号受信モジュールに関する。
【背景技術】
【０００２】
従来、信号受信機例えばテレビジョン信号を受信する受信機として、アナログ変調されたテレビジョン信号とデジタル変調されたテレビジョン信号とを受信するようになされたものがある（特許文献１参照）。図４は、従来の放送受信機１の構成を示すブロック図である。図４に示すように、放送受信機１において、受信端子Ｔ１はアナログ変調波とデジタル変調波とが混在する放送信号を受信する端子である。帯域通過フィルタ２、４、８は、入力された信号のうち所望の周波数帯域の信号を通過させるものであり、特に帯域通過フィルタ２、４は後述するＰＬＬ回路７による制御により通過帯域の中心周波数が可変とされた可変型帯域通過フィルタである。
【０００３】
低域通過フィルタ１２は、入力された信号のうち特定周波数以下の信号のみを通過させる。高周波増幅器３は帯域通過フィルタ２から出力された信号を増幅する利得可変型の増幅器であり、中間周波増幅器９は帯域通過フィルタ８から出力された中間周波を増幅する利得可変型の増幅器である。
【０００４】
ミキサ５は、ＰＬＬ回路７で位相制御された信号源６の信号を用い、帯域通過フィルタ４から出力された信号を中間周波（ＩＦ）に変換する。出力端子Ｔ１６はアナログ放送信号の受信時にミキサ５から出力された中間周波を取り出す（ＩＦ  ＯＵＴ）端子である。ミキサ１０は、信号源１１の信号を用いて中間周波増幅器９からの出力信号を第２中間周波に変換する。復調回路１３は、制御端子Ｔ１８から制御ライン選択回路２１及び復調回路用制御ラインを経て入力される制御信号、および水晶発振器１４で生成されるクロック信号によって動作し、低域通過フィルタ１２から出力されたデジタル変調信号を復調して出力端子Ｔ１７から復調データとして出力（ＤＡＴＡ  ＯＵＴ）する。
【０００５】
また、復調回路１３は利得制御信号を出力しており、この信号を用いて高周波増幅器３および中間周波増幅器９の増幅率を制御する場合には、利得制御ライン選択回路１５は外部端子Ｔ２０から入力される選択信号に基づき、利得制御信号が高周波増幅器３および中間周波増幅器９に入力されるよう復調回路１３と高周波増幅器３および中間周波増幅器９とを接続して利得制御ラインを選択的に構成する。
【０００６】
利得制御信号を外部から供給する場合には、利得制御ライン選択回路１５は外部端子Ｔ２０から入力される選択信号に基づいて外部利得制御信号が高周波増幅器３および中間周波増幅器９に入力されるよう外部端子Ｔ１９と高周波増幅器３および中間周波増幅器９とを接続して利得制御ラインを選択的に構成する。さらに、復調回路１３は、制御ライン選択回路２１及びＰＬＬ回路用制御ラインを介してＰＬＬ回路７に接続されており、ＰＬＬ回路７の動作を制御している。
【０００７】
なお、中間周波増幅器９およびミキサ１０から構成される回路及び復調回路１３は、電源制御回路２２及び２３を介して電源ラインＶＤＤに接続されている。
【０００８】
アナログ放送の受信時には、外部端子Ｔ２０からアナログ変調波受信用の選択信号が入力される。これにより、制御ライン選択回路２１は一方のスイッチ回路が制御端子Ｔ１８と復調回路１３とを切り離し、他方のスイッチ回路が制御端子Ｔ１８とＰＬＬ回路７とを接続するように切り換え動作を行って制御ラインを選択的に構成する。
【０００９】
また、電源制御回路２２はそのスイッチ回路が中間周波増幅器９およびミキサ１０で構成される回路を電源ラインＶＤＤから切り離すように切り換え動作を行い、電源制御回路２３はそのスイッチ回路が復調回路１３を電源ラインＶＤＤから切り離すように切り換え動作を行う。さらに、利得制御ライン選択回路１５はそのスイッチ回路が外部端子Ｔ１９と、高周波増幅器（高周波増幅回路）３および中間周波増幅器９とを接続するように切り換え動作を行って利得制御ラインを選択的に構成する。
【００１０】
以上の切り換え動作により、ＰＬＬ回路７の動作は制御端子Ｔ１８から直接入力される制御信号により制御されるとともに、高周波増幅器３および中間周波増幅器９の増幅率は外部端子Ｔ１９から入力される外部利得制御信号により制御される。また、中間周波増幅器９およびミキサ１０で構成される回路と、復調回路１３とは、電源電圧の印加が遮断されて（電源がオフ状態とされて）、その動作を停止する。
【００１１】
従って、ＰＬＬ回路７を含む周波数変換回路と、高周波増幅器３とは、それぞれ復調回路１３から出力される制御信号、利得制御信号を用いないため、復調回路１３からクロック信号などに起因するノイズが混入することがない。この結果、アナログ放送の受信時に発生する妨害波を低減することができる。
【００１２】
次に、デジタル放送の受信時には、外部端子Ｔ２０からデジタル変調波受信用の選択信号が入力される。これにより、制御ライン選択回路２１は一方のスイッチ回路が制御端子Ｔ１８と復調回路１３とを接続し、他方のスイッチ回路が復調回路１３とＰＬＬ回路７とを接続するように切り換え動作を行って制御ラインを選択的に構成する。
【００１３】
また、電源制御回路２２はそのスイッチ回路が中間周波増幅器９およびミキサ１０で構成される回路を電源ラインＶＤＤに接続するように切り換え動作を行い、電源制御回路２３はそのスイッチ回路が復調回路１３を電源ラインＶＤＤに接続するように切り換え動作を行う。さらに、利得制御ライン選択回路１５はそのスイッチ回路が復調回路１３と、高周波増幅器３および中間周波増幅器９とを接続するように切り換え動作を行って利得制御ラインを選択的に構成する。
【００１４】
以上の切り換え動作により、中間周波増幅器９およびミキサ１０で構成される回路と、復調回路１３とには電源電圧が印加され（電源がオン状態とされ）、復調回路１３から出力された制御信号、利得制御信号がそれぞれ制御ライン、利得制御ラインを介して必要な回路に供給される。従って、従来と同様にＰＬＬ回路７は復調回路１３から出力される制御信号によりその動作が制御されるとともに、高周波増幅器３および中間周波増幅器９の増幅率は復調回路１３から出力される利得制御信号により制御される。
【特許文献１】特開２０００−２２４０６１号公報
【発明の開示】
【発明が解決しようとする課題】
【００１５】
ところで、かかる従来の放送受信機１において、復調回路１３は、デジタル放送の受信時において、制御ライン選択回路２１を介して制御端子Ｔ１８との間の制御ラインで制御データを送受信しており、この制御データの送受信を行っている最中に制御ライン選択回路２１を切り換えたり、又は復調回路１３を電源ラインＶＤＤから切り離すと、再度復調回路１３に電源を投入して起動させても制御ラインがフリーズして制御データの送受信を行うことが困難になる問題があった。
【００１６】
本発明はかかる問題点に鑑みてなされたものであり、デジタル用復調回路の復帰動作に影響を与えることなくアナログ受信時に該復調回路の動作を停止させることができる信号受信機及びその制御方法並びに信号受信モジュールを提供することを目的とする。
【課題を解決するための手段】
【００１７】
本発明の信号受信機は、アナログ変調信号及びデジタル変調信号を受信可能な受信部と、前記デジタル変調信号を復調するデジタル用復調回路と、前記デジタル用復調回路との通信を第１の専用制御ラインによって行う第１の制御回路と、前記第１の制御回路との通信を第２の専用制御ラインによって行う第２の制御回路とを具備し、前記第２の制御回路は、前記デジタル変調信号の受信から前記アナログ変調信号の受信への切り換え前に、前記デジタル用復調回路と前記第１の制御回路との間の通信を終了させ、前記通信の終了を前記第２の専用制御ラインによって確認した後に、前記デジタル用復調回路の電源をオフとすることを特徴とする。
【００１８】
この構成によれば、デジタル用復調回路の電源をオフする前に、デジタル用復調回路と第１の制御回路との間の通信を終了させることにより、通信途中にデジタル用復調回路の電源がオフ状態となることを回避することができる。
【００１９】
本発明は、上記信号受信機において、前記受信部と前記デジタル用復調回路との間を接続する第３の専用制御ラインと、前記第３の専用制御ラインに設けられ、前記第３の専用制御ラインを前記第２の制御回路に接続するためのスイッチ回路とを具備し、前記第２の制御回路は、前記スイッチ回路を制御することにより、前記デジタル変調信号の受信時には、前記第２の制御ライン、前記第１の制御ライン及び前記第３の専用制御ラインを介して前記受信部を制御し、前記アナログ変調信号の受信時には、前記第３の専用制御ラインを介して直接前記受信部を制御することが好ましい。
【００２０】
この構成によれば、アナログ変調信号の受信時には、デジタル用復調回路の電源がオフ状態となるものの、第２の制御回路と受信部との間を第３の専用制御ラインによって接続することにより、第２の制御回路により受信部を制御することが可能となる。      
【００２１】
本発明は、上記信号受信機において、前記第２の制御回路は、前記アナログ変調信号の受信から前記デジタル変調信号の受信の切り換え前に、前記デジタル用復調回路の電源を投入し、前記デジタル用復調回路と前記第１の制御回路との間の通信の準備を完了させ、前記準備を完了したことを前記第２の専用制御ラインによって確認した後に、前記デジタル用復調回路と前記第１の制御回路との間の通信を開始させることが好ましい。
【００２２】
この構成によれば、デジタル用復調回路の電源を投入した後、デジタル用復調回路と第１の制御回路との間の通信の準備が完了したことを確認してから通信を開始することにより、デジタル用復調回路が確実に起動状態となった後に該デジタル復調回路と第１の制御回路との間の通信を開始することができる。
【００２３】
本発明は、上記信号受信機において、前記第１の制御回路は、ＭＰＥＧデコーダを内蔵していることが好ましい。この場合、デジタル用復調回路によって復調された信号をＭＰＥＧデコーダによって確実に復号することができる。
【００２４】
本発明の信号受信機の制御方法は、アナログ変調信号及びデジタル変調信号を受信可能な受信部と、前記デジタル変調信号を復調するデジタル用復調回路と、前記デジタル用復調回路との通信を第１の専用制御ラインによって行う第１の制御回路と、前記第１の制御回路との通信を第２の専用制御ラインによって行う第２の制御回路とを有する信号受信機の制御方法であって、前記デジタル変調信号の受信から前記アナログ変調信号の受信への切り換え前に、前記デジタル用復調回路と前記第１の制御回路との間の通信を終了させ、前記通信の終了を前記第２の制御回路が、前記第２の専用制御ラインによって確認した後に、前記デジタル用復調回路の電源をオフとすることを特徴とする。
【００２５】
この方法によれば、デジタル用復調回路の電源をオフする前に、デジタル用復調回路と第１の制御回路との間の通信を終了させることにより、通信途中にデジタル用復調回路の電源がオフ状態となることを回避することができる。
【００２６】
本発明は、上記信号受信機の制御方法において、前記第２の制御回路から前記第１の制御回路及び前記デジタル用復調回路にチェンジコマンドを送信することにより、前記デジタル用復調回路と前記第１の制御回路との間の通信を終了させ、前記第２の制御回路が前記第２の専用制御ラインを介して前記第１の制御回路に対して、前記デジタル用復調回路と前記第１の制御回路との間の通信の終了を確認し、前記確認の後に前記デジタル用復調回路の電源をオフとすることが好ましい。
【００２７】
この方法によれば、デジタル用復調回路と第１の制御回路との間の通信が終了した場合においても、第２の制御回路と第１の制御回路との間は、第２の専用制御ラインを介して通信が可能であることにより、第２の制御回路は、デジタル用復調回路と第１の制御回路との間の通信の終了を第１の制御回路に問い合わせることで、該通信の終了を確実に待ってからデジタル用復調回路の電源をオフ状態とすることができる。
【００２８】
本発明は、上記信号受信機の制御方法において、前記アナログ変調信号の受信から前記デジタル変調信号の受信の切り換え前に、前記デジタル用復調回路の電源を投入し、前記デジタル用復調回路と前記第１の制御回路との間の通信の準備を完了させ、前記準備を完了したことを前記第２の制御回路が、前記第２の専用制御ラインによって確認した後に、前記デジタル用復調回路と前記第１の制御回路との間の通信を開始することを特徴とする。
【００２９】
この方法によれば、デジタル用復調回路の電源を投入した後、デジタル用復調回路と第１の制御回路との間の通信の準備が完了したことを確認してから通信を開始することにより、デジタル用復調回路が確実に起動状態となった後に該デジタル復調回路と第１の制御回路との間の通信を開始することができる。
【００３０】
本発明の信号受信モジュールは、アナログ変調又はデジタル変調された信号を受信可能な受信部と、前記デジタル変調信号を復調するデジタル用復調回路と、前記デジタル用復調回路との間で通信可能に第１の専用制御ラインによって接続されると共に、モジュール外の第２の制御回路との間で通信可能に第２の専用制御ラインによって接続された第１の制御回路とを有する信号受信モジュールであって、前記アナログ変調された信号の受信から前記デジタル変調された信号の受信への切り換え前に、前記デジタル用復調回路と前記第１の制御回路との間の通信を終了させ、前記通信の終了を前記第２の専用制御ラインによって前記第２の制御回路へ通知した後に、前記デジタル用復調回路の電源をオフとすることを特徴とする。
【００３１】
この構成によれば、デジタル用復調回路の電源をオフする前に、デジタル用復調回路と第１の制御回路との間の通信を終了させることにより、通信途中にデジタル用復調回路の電源がオフ状態となることを回避することができる。
【００３２】
本発明は、上記信号受信モジュールにおいて、前記受信部と前記デジタル用復調回路との間を接続する第３の専用制御ラインと、前記第３の専用制御ラインに設けられ、前記第３の専用制御ラインを前記第２の制御回路に接続するためのスイッチ回路とを具備し、前記スイッチ回路の切り換えにより、前記デジタル変調信号の受信時には、前記第２の制御ライン、前記第１の制御ライン及び前記第３の専用制御ラインを介して前記第２の制御回路と前記受信部とが接続され、前記アナログ変調信号の受信時には、前記第３の専用制御ラインを介して前記第２の制御回路と前記受信部とが接続されることが好ましい。
【００３３】
この構成によれば、アナログ変調信号の受信時には、デジタル用復調回路の電源がオフ状態となるものの、第２の制御回路と受信部との間を第３の専用制御ラインによって接続することにより、第２の制御回路により受信部を制御することが可能となる。
【００３４】
本発明は、上記信号受信モジュールにおいて、前記アナログ変調された信号の受信から前記デジタル変調された信号の受信への切り換え前に、前記デジタル用復調回路の電源を投入し、前記デジタル用復調回路と前記第１の制御回路との間の通信の準備を完了させ、前記準備を完了したことを前記第２の専用制御ラインによって前記第２の制御回路へ通知した後に、前記デジタル用復調回路と前記第１の制御回路との間の通信を開始することを特徴とする。
【００３５】
この構成によれば、デジタル用復調回路の電源を投入した後、デジタル用復調回路と第１の制御回路との間の通信の準備が完了したことを確認してから通信を開始することにより、デジタル用復調回路が確実に起動状態となった後に該デジタル復調回路と第１の制御回路との間の通信を開始することができる。
【００３６】
本発明は、上記信号受信モジュールにおいて、前記第１の制御回路は、ＭＰＥＧデコーダを内蔵していることを特徴とする。この場合、デジタル用復調回路によって復調された信号をＭＰＥＧデコーダによって確実に復号することができる。
【発明の効果】
【００３７】
本発明によれば、デジタル用復調回路の復帰動作に影響を与えることなくアナログ受信時に該復調回路の動作を停止させることができる信号受信機及びその制御方法並びに信号受信モジュールを提供することができる。
【発明を実施するための最良の形態】
【００３８】
以下、図面を参照して、本発明の実施の形態に係る信号受信機について詳細に説明する。
（第１の実施の形態）
図１は、本発明の実施の形態に係るテレビジョン信号受信機１００を示すブロック図である。このテレビジョン信号受信機１００は、テレビジョン信号受信モジュール１０１と、ホスト部１０２とを備えている。
【００３９】
テレビジョン信号受信モジュール１０１は、アナログ変調されたテレビジョン信号（以下これをアナログ放送信号と呼ぶ）とデジタル変調されたテレビジョン信号（以下、これをデジタル放送信号と呼ぶ）とを受信する受信部１１１と、受信されたデジタル放送信号を復調するデジタル復調回路１１２と、復調されたデジタル放送信号をＭＰＥＧ(Moving Picture Experts Group)復号する第１制御回路１１３とを有する。
【００４０】
ホスト部１０２は、デジタル放送信号を受信する場合に受信部１１１、デジタル復調回路１１２及び第１制御回路１１３に対してこれらを制御する制御データを出力する制御端子Ｔ１１と、アナログ放送信号を受信する場合に受信部１１１に対して制御データを出力する制御端子Ｔ１２と、第１制御回路１１３においてデジタル放送信号を復号することにより得られるデジタルビデオ信号及びデジタルオーディオ信号を受けてこれらを出力するためのデジタル出力端子Ｔ２１、Ｔ２２と、受信部１１１から得られるアナログ放送信号（アナログビデオ信号及びアナログオーディオ信号）を受けてこれらを出力するためのアナログ出力端子Ｔ２３、Ｔ２４と、テレビジョン信号受信モジュール１０１に電源を供給するための電源端子Ｔ３１とを含んでいる。
【００４１】
デジタル放送信号の受信を制御するための制御端子Ｔ１１は、I2C(Inter Integrated Circuit)バスによって第１制御回路１１３、デジタル復調回路１１２及び受信部１１１に接続されている。本実施の形態においては、第２制御回路１２１、第１制御回路１１３、デジタル復調回路１１２及び受信部１１１の間のデジタル放送信号の受信を制御するためのI2Cバスを全体としてデジタル受信制御用バスと呼び、このデジタル受信制御用バスのうち、特に、第２制御回路１２１と第１制御回路１１３との間のI2Cバスを第２の専用制御ラインＢ１１Ｂと呼び、第１制御回路１１３とデジタル復調回路１１２との間のI2Cバスを第１の専用制御ラインＢ１１Ａと呼ぶ。また、デジタル復調回路１１２と受信部１１１との間をバススイッチ回路１１５を介して接続するI2Cバスを第３の専用制御ラインと呼ぶ。この第３の専用制御ラインは、バススイッチ回路１１５からアナログ信号受信用の制御端子Ｔ１２にも接続されている。
【００４２】
すなわち、アナログ放送信号の受信を制御するための制御端子Ｔ１２は、第３の専用制御ラインのアナログ制御用の引出ラインを構成するI2C(Inter Integrated Circuit)バス（以下、これをアナログ受信制御用バスと呼ぶ）Ｂ１２によって受信部１１１に接続されている。因みに、これらデジタル受信制御用バスＢ１１及びアナログ受信制御用バスＢ１２は、バススイッチ回路（I2C Switch）１１５によっていずれかが選択されて受信部１１１に接続されるようになっている。
【００４３】
すなわち、第２制御回路１２１には、アナログ受信制御用バスＢ１２又はデジタル受信制御用バスＢ１１のいずれかを選択するための選択用端子Ｔ１５が設けられており、この選択用端子Ｔ１５にはバススイッチ回路１１５が接続されている。これにより、選択用端子Ｔ１５にアナログ受信を選択するためのアナログ制御コマンドが入力されると、バススイッチ回路１１５がアナログ受信制御用バスＢ１２を選択し、またデジタル受信を選択するためのデジタル制御コマンドが入力されると、バススイッチ回路１１５がデジタル受信制御用バスＢ１１を選択するようになっている。
【００４４】
また、選択用端子Ｔ１５には、電源制御回路１１６が接続されており、この電源制御回路１１６は、選択用端子Ｔ１５からアナログ受信を選択するためのアナログ制御コマンドが入力されると、デジタル復調回路１１２への電源投入を停止し、これに対して、デジタル受信を選択するためのデジタル制御コマンドが入力されると、デジタル復調回路１１２への電源を投入するようになっている。
【００４５】
以上説明した構成において、デジタル放送信号を受信する場合には、選択用端子Ｔ１５にデジタル制御コマンドが入力されることにより、バススイッチ回路１１５がデジタル受信制御用バスＢ１１を選択する。これにより、デジタル放送信号の受信を制御するための制御端子Ｔ１１、第１制御回路１１３、デジタル復調回路１１２及び受信部１１１がデジタル受信制御用バスＢ１１によって接続される。これにより、制御端子Ｔ１１と受信部１１１との間で制御データを授受することができる。この場合、デジタル復調回路１１２は、第１制御回路１１３との間で第１の専用制御ラインＢ１１Ａを介した通信を行いながら受信処理（復調処理）を行うことになる。
【００４６】
一方、アナログ放送信号を受信する場合には、選択用端子Ｔ１５にアナログ制御コマンドが入力されることにより、バススイッチ回路１１５がアナログ受信制御用バスＢ１２を選択する。これにより、アナログ放送信号の受信を制御するための制御端子Ｔ１２及び受信部１１１がアナログ受信制御用バスＢ１２によって接続される。これにより、制御端子Ｔ１２と受信部１１１との間で制御データを授受することができる。このように、アナログ放送信号を受信する場合には、デジタル復調回路１１２を介さずにアナログ受信制御用バスＢ１２を介して直接受信部１１１に制御データが送出されることになる。すなわち、アナログ放送信号を受信する場合には、デジタル復調回路１１２の動作が不要な状態となる。従って、テレビジョン信号受信機１００は、アナログ放送信号を受信する場合には、デジタル復調回路１１２の動作を停止させて該デジタル復調回路１１２への電源の供給を停止させる。
【００４７】
これにより、アナログ放送信号を受信する場合には、デジタル復調回路１１２の動作に係るノイズがアナログ放送信号の受信時に受信信号に回り込むことを低減することができる。
【００４８】
ここで、テレビジョン信号受信機１００においては、デジタル復調回路１１２への電源供給を停止させる際に、デジタル復調回路１１２と第１制御回路１１３との間の第１の専用制御ラインＢ１１Ａを介した通信を所定のルールに則って中断処理することにより、デジタル復調回路１１２への電源投入時（再起動時）に該デジタル復調回路１１２と第１制御回路１１３との間の第１の専用制御ラインＢ１１Ａを介した通信が正常に開始されるようになっている。
【００４９】
すなわち、図２は、デジタル放送信号を受信する状態（デジタル受信）からアナログ放送信号を受信する状態（アナログ受信）に切り換える場合における、デジタル変調信号受信系、アナログ変調信号受信系及び第２制御回路１２１の動作を示すフローチャートである。因みに、デジタル変調信号受信系は、デジタル変調信号（デジタル放送信号）を受信するために動作する回路（受信部１１１、デジタル復調回路１１２等）を意味し、アナログ変調信号受信系は、アナログ変調信号（アナログ放送信号）を受信するために動作する回路（受信部１１１、アナログ変調回路（図示せず）等）を意味する。
【００５０】
図２に示すように、テレビジョン信号受信機１００においてデジタル放送信号を受信している際に（ステップＳＴ１１）、例えばユーザがアナログ放送信号の受信を選択する操作を行うと（ステップＳＴ１２）、第２制御回路１２１からデジタル受信制御用バスＢ１１（第２の専用制御ラインＢ１１Ｂ及び第１の専用制御ラインＢ１１Ａ）を介してデジタル変調信号受信系（デジタル復調回路１１２及び第１制御回路１１３）に対してデジタル受信からアナログ受信への変更を指示するコマンド（チェンジコマンド）が送信される（ステップＳＴ１３）。
【００５１】
このチェンジコマンドを受け取ったデジタル復調回路１１２及び第１制御回路１１３は、それらの間で第１の専用制御ラインＢ１１Ａを介して行われる通信を中断処理する。すなわち、デジタル復調回路１１２及び第１制御回路１１３は、所定の中断ルールに則って通信を中断処理する（ステップＳＴ１４）。これにより、第１制御回路１１３とデジタル復調回路１１２との間において制御コマンドの通信が行われている最中に復調回路１１２への電源が停止されることが回避される。
【００５２】
なお、第１制御回路１１３とデジタル復調回路１１２との間の第１の専用制御ラインＢ１１Ａを介した通信が中断しても、第１制御回路１１３と第２制御回路１２１との間の第２の専用制御ラインＢ１１Ｂを介した通信は中断されず、この間の通信は可能な状態が維持される。従って、この間の維持された第２の専用制御ラインＢ１１Ｂを介して、第２制御回路１２１は、デジタル変調信号受信系（第１制御回路１１３）に対して、デジタル復調回路１１２との間の通信が所定の中断ルールに則って中断されたか否かを問い合わせるステータスリクエストコマンドを送信する（ステップＳＴ１５）。
【００５３】
このステータスリクエストコマンドを受け取った第１制御回路１１３は、デジタル復調回路１１２との間の通信が正常に中断している場合には、その旨をステータスレスポンスを返送することにより第２制御回路１２１に通知する（ステップＳＴ１６）。第２制御回路１２１は、第１制御回路１１３から、かかるステータスレスポンスが返送されるまで、ステータスリクエストコマンドの送信を繰り返す。かくして、第２制御回路１２１が第１制御回路１１３からステータスレスポンスの返送を受け取ると、このことは、第１制御回路１１３とデジタル復調回路１１２との間の通信が正常に中断したことを意味しており、第２制御回路１２１は、ステップＳＴ１７において肯定結果を得ることにより、ステップＳＴ１８に進んで、第２制御回路１２１の選択用端子Ｔ１５からアナログ制御コマンドを電源制御回路１１６及びバススイッチ回路１１５に出力する。
【００５４】
アナログ制御コマンドを受け取ったバススイッチ回路１１５は、デジタル受信制御用バスＢ１１からアナログ受信制御用バスＢ１２に切り換えて、アナログ受信制御用の制御端子Ｔ１２と受信部１１１とを接続する。これにより、制御端子Ｔ１２と受信部１１１との間でアナログ受信制御用バスＢ１２を介してアナログ受信用の通信を行うことが可能となる。また、アナログ制御コマンドを受け取った電源制御回路１１６は、デジタル復調回路１１２への電源供給を停止すると共に（ステップＳＴ１９）、アナログ復調回路（図示せず）への電源供給を開始する（ステップＳＴ２０）。このように、第２制御回路１２１では、ステップＳＴ１７の判断において、第１制御回路１１３とデジタル復調回路１１２との間の通信が正常に中断されたことを条件にデジタル復調回路１１２への電源供給を停止させることにより、第１制御回路１１３とデジタル復調回路１１２との間において通信を行っている最中にデジタル復調回路１１２への電源供給が停止されることが回避される。これにより、デジタル復調回路１１２に対して電源供給が再開された場合において、デジタル復調回路１１２と第１制御回路１１３との間の通信が正常に開始されることになる。
【００５５】
一方、デジタル変調信号受信系においてデジタル復調回路１１２は、第２制御回路１２１に対してステータスレスポンスが返送された後（ステップＳＴ１６）、リセット状態となって初期状態となり、さらに、第２制御回路１２１の制御によって電源供給が停止されると（ステップＳＴ１９）、シャットダウン状態となる（ステップＳＴ２２）。
【００５６】
これに対して、アナログ変調信号受信系においては、第２制御回路１２１の制御によって電源供給が開始されると（ステップＳＴ２０）、アナログ復調回路（図示せず）が起動する（ステップＳＴ２３）。そして、ユーザの選択操作等に応じて第２制御回路１２１の制御端子Ｔ１２から受信部１１１に対して、チャンネルセッティングデータが送信されると（ステップＳＴ２４）、受信部１１１から第２制御回路１２１に対して応答信号（Acknowledge）が返送され（ステップＳＴ２５）、アナログ放送信号の受信（アナログ受信）が開始される（ステップＳＴ２６）。
【００５７】
かくして、テレビジョン信号受信機１００においては、デジタル受信状態からアナログ受信状態に切り換わる際に、デジタル復調回路１１２と第１制御回路１１３との間の第１の専用制御ラインＢ１１Ａを介した通信が所定の中断ルールに則って正常に中断された後に、デジタル復調回路１１２への電源供給が停止されることになる。これにより、デジタル復調回路１１２と第１制御回路１１３との間において通信中にデジタル復調回路１１２がシャットダウンされることが回避される。例えば、第１制御回路１１３からデジタル復調回路１１２へ制御コマンドが送信された後、その応答が帰る前にデジタル復調回路１１２がシャットダウンすることにより第１の専用制御ラインＢ１１Ａがフリーズ状態となるといった不都合の発生を未然に防止することができる。
【００５８】
これに対して、図３は、アナログ放送信号を受信する状態（アナログ受信）からデジタル放送信号を受信する状態（デジタル受信）に切り換える場合における、デジタル変調信号受信系、アナログ変調信号受信系及び第２制御回路１２１の動作を示すフローチャートである。
【００５９】
図３に示すように、テレビジョン信号受信機１００においてアナログ放送信号を受信している際に（ステップＳＴ３１）、例えばユーザがデジタル放送信号の受信を選択する操作を行うと（ステップＳＴ３２）、第２制御回路１２１の選択用端子Ｔ１５からデジタル制御コマンドがデジタル変調信号受信系（バススイッチ回路１１５、電源回路１１６及びデジタル復調回路１１２）に出力される（ステップＳＴ３３）。
【００６０】
デジタル制御コマンド受け取ったバススイッチ回路１１５は、アナログ受信制御用バスＢ１２からデジタル受信制御用バスＢ１１に切り換えて、デジタル受信制御用の制御端子Ｔ１１と受信部１１１とをデジタル受信制御用バスＢ１１により接続する。また、デジタル制御コマンドを受け取った電源制御回路１１６は、アナログ復調回路（図示せず）への電源供給を停止すると共に（ステップＳＴ３４）、デジタル復調回路１１２への電源供給を開始する（ステップＳＴ３５）。これにより、アナログ復調回路はシャットダウンし（ステップＳＴ３６）、デジタル復調回路１１２は電源供給状態となる（ステップＳＴ３７）。
【００６１】
そして、第２制御回路１２１は、制御端子Ｔ１１から第２の専用制御ラインＢ１１Ｂを介して第１制御回路１１３に対して、アナログ受信からデジタル受信への変更を指示するコマンド（チェンジコマンド）を送信する（ステップＳＴ３８）。これにより、第１制御回路１１３及びデジタル復調回路１１２は起動し（ステップＳＴ３９）、これに続いてデジタル復調回路１１２と第１制御回路１１３との間の通信を開始可能状態とする（ステップＳＴ４０）。
【００６２】
そして、第２制御回路１２１では、第１制御回路１１３に対して、第２制御回路１２１と第１制御回路１１３との間の第２の専用制御ラインＢ１１Ｂを介してステータスリクエストコマンドを送信することにより（ステップＳＴ４１）、第１制御回路１１３とデジタル復調回路１１２との間の第１の専用制御ラインＢ１１Ａを介した通信が開始可能となっているか否かを問い合わせる。デジタル復調回路１１２が正常に起動して第１制御回路１１３との間で通信の開始準備が完了している場合には、第１制御回路１１３から第２制御回路１２１に対してステータスレスポンスが返送される（ステップＳＴ４２）。デジタル変調信号受信系（デジタル復調回路１１２、第１制御回路１１３）では、ステータスレスポンスを返送した後に、デジタル受信を開始する（ステップＳＴ４３）。
【００６３】
第２制御回路１２１は、第１制御回路１１３からステータスレスポンスが返送されたか否かを判断し（ステップＳＴ４４）、該ステータスレスポンスが返送されるまでステータスリクエストコマンドの送信を繰り返す。そして、第１制御回路１１３から第２制御回路１２１に対してステータスレスポンスが返送されると、第２制御回路１２１はステップＳＴ４４において肯定結果を得ることにより、第２制御回路１２１とデジタル変調信号受信系（第１制御回路１１３、デジタル復調回路１１２）との間でデジタル受信制御用の通信を開始する（ステップＳＴ４５）。
【００６４】
このように、テレビジョン信号受信機１００においては、デジタル復調回路１１２への電源供給を開始しただけでは該デジタル復調回路１１２と第１制御回路１１３との間の通信を開始状態とすることなく、デジタル復調回路１１２と第１制御回路１１３との間の通信の準備が完了した後に通信を開始することにより、例えば、電源が投入されたものの起動が完了していない状態で通信が開始されるといった不都合を回避することができる。
【００６５】
かくして、以上説明したテレビジョン信号受信機１００によれば、アナログ受信時にデジタル復調回路１１２の動作を停止させる構成において、デジタル復調回路１１２と第１制御回路１１３との間の通信を処理の中断ルールに則った処理により正常に中断させることができる。これにより、その後、デジタル復調回路１１２と第１制御回路１１３との間の通信を正常に再開させることができる。
【００６６】
（他の実施の形態）
上述の実施の形態においては、第１の専用制御ラインＢ１１Ａ及び第２の専用制御ラインＢ１１ＢとしてＩ２Ｃバスを用いる場合について述べたが、本発明はこれに限られるものではなく、他の種々のバスを用いることができる。
【００６７】
また、上述の実施の形態においては、信号受信機として、テレビジョン信号を受信するテレビジョン信号受信機１００に本発明を適用する場合について述べたが、受信する信号はテレビジョン信号に限らず、他の信号を受信する場合に広く適用することができる。
【産業上の利用可能性】
【００６８】
本発明は、例えばテレビジョン放送信号の受信機に適用可能である。
【図面の簡単な説明】
【００６９】
【図１】本発明の実施の形態に係るテレビジョン信号受信機を示すブロック図
【図２】図１のテレビジョン信号受信機のアナログ受信からデジタル受信への切り換え動作の説明に供するフローチャート
【図３】図１のテレビジョン信号受信機のデジタル受信からアナログ受信への切り換え動作の説明に供するフローチャート
【図４】従来の放送受信機の構成を示すブロック図
【符号の説明】
【００７０】
１  放送受信機
２、４、８  帯域通過フィルタ
３  高周波増幅器
７  ＰＬＬ回路
９  中間周波増幅器
１１  信号源
１２  低域通過フィルタ
１３  復調回路
１４  水晶発振器
１５  利得制御ライン選択回路
２１  制御ライン選択回路
１００  テレビジョン信号受信機
１０１  テレビジョン信号受信モジュール
１０２  ホスト部
１１１  受信部
１１２  デジタル復調回路
１１３  第１制御回路
１１５  バススイッチ回路
１１６  電源制御回路
Ｔ１１、Ｔ１２  制御端子
Ｔ１５  選択用端子
Ｔ２１、Ｔ２２  デジタル出力端子
Ｔ２３、Ｔ２４  アナログ出力端子
Ｂ１１  デジタル受信制御用バス
Ｂ１１Ａ  第１の専用制御ライン
Ｂ１１Ｂ  第２の専用制御ライン
Ｂ１２  アナログ受信制御用バス
【図１】
0004399003.tif 000002
【図２】
0004399003.tif 000003
【図３】
0004399003.tif 000004
【図４】
0004399003.tif 000005